【手続補正書】
【提出日】平成16年2月18日(2004.2.18)
【手続補正１】
【補正対象書類名】明細書
【補正対象項目名】００３０
【補正方法】変更
【補正の内容】
【００３０】
なお、上記マガジン７内に多数枚のワッシャ２を装填する作業は、次のようにすれば便利である。すなわち、図６は、多数枚のワッシャ２をストックしておくためのストック具８を示す斜視図であり、このストック具８は、多数枚のワッシャ２が套嵌可能なロッド８０の一端部に第１ストッパ８１を取付けたものである。また、上記ストック具８には、上記ロッド８０の他端部に着脱自在な第２ストッパ８２も具備されている。上記構成のストック具８では、ロッド８０に套嵌された多数枚のワッシャ２が上記ロッド８０から抜け外れることを第１ストッパ８１および第２ストッパ８２によって防止することができ、多数枚のワッシャ２を１列状にコンパクトに整列させてストックしておくことができる。また、上記ストック具８を用いてマガジン７内に多数枚のワッシャ２を装填するときには、ストック具８のロッド８０をマガジン７内に挿入して多数枚のワッシャ２をマガジン７内に収容させた後に、上記ストック具８のロッド８０をマガジン７の外方へ抜き取ればよい（図５参照）。このような作業によれば、多数枚のワッシャ２をマガジン７内へ一括して装填することができるために、その装填作業効率が良好となる。また、図６に示すように、ロッド８０にワッシャ２を套嵌させるときに、ワッシャ２の凹状部２１が上向きとなるように設定しておけば、それらのワッシャ２をマガジン７内へ装填したときには、上記凹状部２１を下向きに設定することができる。したがって、マガジン７内に多数枚のワッシャ２を装填するときに、これらワッシャ２の表裏面の装填方向を間違えるといったこともなくすことができる。


【手続補正２】
【補正対象書類名】明細書
【補正対象項目名】００３４
【補正方法】変更
【補正の内容】
【００３４】
上記一対のクランプ片６４ａ，６４ｂのうち、一方のクランプ片６４ｂの後端部には、レバー６７が連結されている。このレバー６７は、図３に示すように、第１のワッシャ供給ジグ６Ａが矢印Ｎ３方向へ最も後退しているときには、固定ブロック５１のテーパ面５１ｂに当接し、矢印Ｎ４方向へ押動されるように設けられている。したがって、この状態においては、一方のクランプ片６４ｂのクランプ面部６５ｂは、矢印Ｎ５の方向に変移することとなり、一対のクランプ面部６５ａ，６５ｂの間が開くこととなる。したがって、このような状態では、上記一対のクランプ面部６５ａ，６５ｂ間に、最上層のワッシャ２ａを適切に介装させることができることとなる。これに対し、図４に示すように、第１のワッシャ供給ジグ６Ａが矢印Ｎ２方向へ前進したときには、上記レバー６７と固定ブロック５１のテーパ面５１ｂとの接触が解除され、上記レバー６７はバネＳ１のバネ力Ｆによって矢印Ｎ６方向に変移する。したがって、この場合には、一方のクランプ面部６５ｂは、矢印Ｎ７方向に移動して他方のクランプ面部６５ａに接近することとなり、一対のクランプ面部６５ａ，６５ｂによってワッシャ２ａの外周面を確実に挟みつけることができることとなる。


【手続補正３】
【補正対象書類名】明細書
【補正対象項目名】００３５
【補正方法】変更
【補正の内容】
【００３５】
なお、本実施形態のように、一対のクランプ片６４ａ，６４ｂのうち、一方のクランプ片６４ｂのみを動作させるようにして、他方のクランプ片６４ａを固定させておけば、この固定側のクランプ片６４ａを基準としてワッシャ２ａを挟み付けることが可能となり、ワッシャ２ａをクランプしたときのワッシャ２ａの位置決め精度を高めることができる。また、クランプ片６４ａ，６４ｂの動作機構を簡素にすることもできる。ただし、本願発明はこれに限定されず、２つのクランプ片６４ａ，６４ｂをともに開閉動作させるように構成してもよい。


【手続補正４】
【補正対象書類名】明細書
【補正対象項目名】００４２
【補正方法】変更
【補正の内容】
【００４２】
また、図１０に示すように、最上層のワッシャ２ａがマガジン７よりも前方へ移送されると、マガジン７の開口部７１の上方には第２のストッパ面６９が配置される。したがって、２層目に位置していた次のワッシャ２ｂは、上記第２のストッパ面６９に当接することにより、その第２のストッパ面６９よりも上方に押し上げられることが阻止されることとなる。したがって、マガジン７の内部には、常時、多数枚のワッシャ２を上方へ押し上げるためのエア圧が作用しているにもかかわらず、これによってワッシャ２の押し上げ動作に不具合を生じるといったことはない。最上層に位置していたワッシャ２ａがマガジン７よりも前方に移送されると、このワッシャ２ａは、第１のワッシャ供給ジグ６Ａと第２のワッシャ供給ジグ６Ｂとの間に挟まれることとなる。したがって、上記ワッシャ２ａが第１のワッシャ供給ジグ６Ａの下方へ脱落することがより確実に防止されることとなる。第１のワッシャ供給ジグ６Ａが、図１０に示す状態よりもさらに前進し、上記ワッシャ２ａが第２のワッシャ供給ジグ６Ｂの切り込み凹部９７ｂの上方へ位置すると、それ以降は、第２のワッシャ供給ジグ６Ｂは固定ブロック６３によって押動され、第１のワッシャ供給ジグ６Ａに伴って前進することとなる。このため、上記ワッシャ２ａを、２つの切り込み凹部９７ａ，９７ｂ間に保持させた状態で、ホルダ３０の上方へ移送供給することが可能となる。


【手続補正５】
【補正対象書類名】明細書
【補正対象項目名】００４３
【補正方法】変更
【補正の内容】
【００４３】
上記ワッシャ２ａをホルダ３０の上方へ移送供給した後には、図１１に示すように、パイロットピン３１を上昇させ、ワッシャ２ａの孔部２０内にこのパイロットピン３１を挿通する。次いで、このパイロットピン３１の上昇動作が完了した後は、図１２に示すように、第１のワッシャ供給ジグ６Ａおよび第２のワッシャ供給ジグ６Ｂを矢印Ｎ３方向へ後退させてから、図１に示した元の初期高さに下降させる。上記第１のワッシャ供給ジグ６Ａや第２のワッシャ供給ジグ６Ｂを後退させるときには、ワッシャ２ａの穴部２０にパイロットピン３１が挿通し、ワッシャ２ａの水平方向の位置決めが確実になされているために、上記２つのジグ６Ａ，６Ｂを後退させることによってこれらのジグ６Ａ，６Ｂから上記ワッシャ２ａを適切に離脱させることができる。また、上記２つのジグ６Ａ，６Ｂから離脱したワッシャ２ａは、その後パイロットピン３１に沿って自然落下し、ホルダ３０の上面にセッティングされることとなる。


【手続補正６】
【補正対象書類名】明細書
【補正対象項目名】００４４
【補正方法】変更
【補正の内容】
【００４４】
上記ワッシャ２ａのセッティングが完了した後は、図１３に示すように、リベット打ち機構部４を動作させて、リベット締め対象物ｍ１，ｍ２に対するリベット１の打ち込み作業、およびそのかしめ作業を行う。これらの作業自体は、従来と同様な工程で行われる。具体的には、それらの作業は、一対のチャック４０，４０が下降しつつ開き、ステム４１がリベット１の頭部を下方へ押圧することにより行われる。リベット締め対象物ｍ１，ｍ２が、たとえば段ボール紙などの比較的軟質なものの場合には、それらのリベット締め対象物ｍ１，ｍ２にリベット挿通用の孔を予め設けておく必要はなく、リベット１の押し下げ力のみによってリベット１をリベット締め対象物ｍ１，ｍ２に貫通させることが可能である。リベット１のかしめ構造は、図１７において説明した構造と同様である。